(57)【特許請求の範囲】
【請求項１】
第１のレール部、第２のレール部及び該第１のレール部と該第２のレール部との間に接続される長手体を含むレール部材と、
第１の支持部、第２の支持部及び該第１の支持部と該第２の支持部との間に接続される長手支持部を含み、前記レール部材に対して可動な第１のブラケットと、
第１の壁部、第２の壁部及び該第１の壁部と該第２の壁部との間に接続される長手壁を含み、前記レール部材と前記第１のブラケットとの間に配置される補強部材と、
を含むスライドレール機構であって、
前記第１のブラケットが動かされて任意の位置に調節されると、前記第１のブラケット、前記レール部材及び前記補強部材は互いを支持し、
前記第１のブラケットの長手支持部は第１の伸長部及び第２の伸長部をさらに含み、該第１の伸長部と前記補強部材の第１の壁部及び第２の壁部のうちの一方とは互いを支持することができ、該第２の伸長部と前記補強部材の第１の壁部及び第２の壁部のうちの他方とは互いを支持することができる、スライドレール機構。
【請求項２】
前記第１のブラケットは前記レール部材の第１の端部に隣接して配置され、
前記第１のブラケットは第１の取り付け部を含み、
前記スライドレール機構は、前記レール部材の第２の端部に隣接して配置される第２のブラケットをさらに含み、該第２のブラケットは第２の取り付け部を含み、
前記第１のブラケットの第１の取り付け部は、前記レール部材を第１のポストに取り付けるように構成され、前記第２のブラケットの第２の取り付け部は、前記レール部材を第２のポストに取り付けるように構成され、
前記レール部材は第１の側及び第２の側を有し、前記補強部材は該第１の側に接続され、前記スライドレール機構は、該第２の側に可動に取り付けられる少なくとも１つの移動レールをさらに含む、請求項１に記載のスライドレール機構。
【請求項３】
前記補強部材の第１の壁部は第１の壁区画と、該第１の壁区画に対して屈曲された第２の壁区画とを含み、該第１の壁区画及び該第２の壁区画により空間が定義され、
前記第１のブラケットの第１の伸長部は第１の伸長区画と、該第１の伸長区画に対して屈曲された第２の伸長区画とを含み、該第２の伸長区画は前記第１の壁部の空間内に延び、
前記補強部材の第２の壁部は第３の壁区画と、該第３の壁区画に対して屈曲された第４の壁区画とを含み、該第３の壁区画及び該第４の壁区画により空間が定義され、
前記第１のブラケットの第２の伸長部は第３の伸長区画と、該第３の伸長区画に対して屈曲された第４の伸長区画とを含み、該第４の伸長区画は前記第２の壁部の空間内に延び、
前記第１のブラケットの第１の支持部は第１の支持区画、第２の支持区画及び該第１の支持区画と該第２の支持区画との間に接続される第１の中間区画とを含み、
前記第１のブラケットの第１の支持区画と前記レール部材の第１のレール部とは互いを支持することができ、前記第１のブラケットの第２の支持区画と前記補強部材の第１の壁部とは互いを支持することができ、
前記第１のブラケットの第２の支持部は第３の支持区画、第４の支持区画及び該第３の支持区画と該第４の支持区画との間に接続される第２の中間区画とを含み、前記第１のブラケットの第３の支持区画と、前記レール部材の第２のレール部とは互いを支持することができ、前記第１のブラケットの第４の支持区画と前記補強部材の第２の壁部とは互いを支持することができる、請求項１に記載のスライドレール機構。
【請求項４】
前記第１のブラケットの第１の支持部は第１の屈曲区画をさらに含み、該第１の屈曲区画と前記レール部材の第１のレール部の側部とは互いを支持することができ、
前記第１のブラケットの第２の支持部は第２の屈曲区画をさらに含み、該第２の屈曲区画と前記レール部材の第２のレール部の側部とは互いを支持することができる、請求項３に記載のスライドレール機構。
【請求項５】
前記補強部材の第１の壁部は第１の壁区画と、該第１の壁区画に対して屈曲された第２の壁区画とを含み、
前記補強部材の第２の壁部は第３の壁区画と、該第３の壁区画に対して屈曲された第４の壁区画とを含み、
前記第１のブラケットの第１の支持部は、第１の支持区画、第２の支持区画及び該第１の支持区画と該第２の支持区画との間に接続される第１の中間区画とを含み、
前記第１のブラケットの第１の支持区画と前記レール部材の第１のレール部とは互いを支持することができ、前記第１のブラケットの第２の支持区画と前記補強部材の第１の壁部とは互いを支持することができ、
前記第１のブラケットの第２の支持部は、第３の支持区画、第４の支持区画及び該第３の支持区画と該第４の支持区画との間に接続される第２の中間区画とを含み、
前記第１のブラケットの第３の支持区画と前記レール部材の前記第２のレール部とは互いを支持することができ、前記第１のブラケットの第４の支持区画と前記補強部材の第２の壁部とは互いを支持することができる、請求項１に記載のスライドレール機構。
【請求項６】
前記補強部材の第１の壁部は第１の壁区画と、該第１の壁区画に対して屈曲された第２の壁区画とを含み、
前記補強部材の第２の壁部は第３の壁区画と、該第３の壁区画に対して屈曲された第４の壁区画とを含み、
前記第１のブラケットの第１の支持部は第１の屈曲区画をさらに含み、該第１の屈曲区画と前記レール部材の第１のレール部の側部とは互いを支持することができ、
前記第１のブラケットの第２の支持部は第２の屈曲区画をさらに含み、該第２の屈曲区画と前記レール部材の第２のレール部の側部とは互いを支持することができる、請求項１に記載のスライドレール機構。
【請求項７】
前記補強部材の第１の壁部は第１の壁区画と、該第１の壁区画に対して屈曲された第２の壁区画とを含み、該第１の壁区画及び該第２の壁区画により空間が定義され、
前記補強部材の第２の壁部は第３の壁区画と、該第３の壁区画に対して屈曲された第４の壁区画とを含み、該第３の壁区画及び該第４の壁区画により空間が定義され、
前記第１のブラケットの第１の支持部は第１の支持区画、第２の支持区画及び該第１の支持区画と該第２の支持区画との間に接続される複数の第１の中間区画を含み、
前記第１のブラケットの第１の支持区画と前記レール部材の第１のレール部とは互いを支持することができ、前記第１のブラケットの第２の支持区画と前記補強部材の第１の壁部とは互いを支持することができ、前記複数の第１の中間区画は前記補強部材の第１の壁部の空間内に延び、
前記第１のブラケットの第２の支持部は第３の支持区画、第４の支持区画及び該第３の支持区画と該第４の支持区画との間に接続される複数の第２の中間区画を含み、
前記第１のブラケットの第３の支持区画と前記レール部材の第２のレール部とは互いを支持することができ、前記第１のブラケットの第４の支持区画と前記補強部材の第２の壁部とは互いを支持することができ、前記複数の第２の中間区画は前記補強部材の第２の壁部の空間内に延びる、請求項１に記載のスライドレール機構。
【請求項８】
前記第１のブラケットの第１の支持部は第１の屈曲区画をさらに含み、該第１の屈曲区画と前記レール部材の第１のレール部の側部とは互いを支持することができ、
前記第１のブラケットの第２の支持部は第２の屈曲区画をさらに含み、該第２の屈曲区画と前記レール部材の第２のレール部の側面とは互いを支持することができる、請求項７に記載のスライドレール機構。
【発明の詳細な説明】
【技術分野】
【０００１】
本発明はスライドレール機構に関し、より具体的には、ブラケットを備えるスライドレール機構に関する。
【背景技術】
【０００２】
特許文献１にはラックシステムが開示されている。第１の取り付けブラケット及び第２の取り付けブラケットは、レール部材（外側レール）の第１の端部及び第２の端部にそれぞれ摺動可能に取り付けられている。
【０００３】
特許文献２には、スライドレールアセンブリの調節可能なブラケットが開示されている。固定ベースは外側レールに固定配置され、ブラケットは固定ベースの通路に摺動可能に取り付けられている。
【０００４】
特許文献３には、レール部材（外側レール）、第１の支持フレーム、第２の支持フレーム、第３の支持フレーム及び取り付けブラケットを含むスライドレールアセンブリのブラケット装置が開示されている。第１の支持フレームはレール部材に固定配置されている。第２の支持フレーム、第３の支持フレーム及び取り付けブラケットは第１の支持フレームに対して可動及び伸縮可能である。加えて、取り付けブラケットは、ユーザーの要求に応じて（特許文献３の図５に示すように）レール部材に対して第１の位置に位置するか又は（特許文献３の図７に示すように）第２の位置に位置するように調節できる。さらに、取り付けブラケットがレール部材に対して第１の位置に位置している場合、取り付けブラケットはレール部材及び第１の支持フレームを部分的に覆うことができる。しかしながら、取り付けブラケットがレール部材に対して第２の位置に位置する場合、（取り付けブラケットはレール部材を部分的に覆うものの）取り付けブラケットは第１の支持フレームのどの部分も覆っていない。
【０００５】
特許文献４には前側フレーム及び後ろ側フレームを含むスライドレールフレームが開示されている。前側フレームはレール部材（外側レール）に固定取り付けされている。後ろ側フレームは、前側フレームのスライドスロット内で可動に配置されている。
【０００６】
特許文献５には、スライドレールの強化リアフレーム構造が開示されている。強化リアフレーム構造はレール部材、固定フレーム及びスライドフレームを含む。固定フレームはレール部材の後部に固定取り付けされ、固定フレームはスライドフレームに埋め込まれている。
【０００７】
特許文献６には、レール部材、前側フレーム及び後ろ側フレームを含むスライドレールフレームが開示されている。前側フレームはレール部材に固定配置され、前側フレームは後ろ側フレームの通路に貫通する。
【先行技術文献】
【特許文献】
【０００８】
【特許文献１】米国特許第６２３０９０３号明細書
【特許文献２】米国特許第８０２８９６５号明細書
【特許文献３】米国特許第９３２８７６９号明細書
【特許文献４】中国特許第１０４５０７２９７号明細書
【特許文献５】中国実用新案第２０５３７８４５３号明細書
【特許文献６】中国実用新案第２０５３５６９１２号明細書
【発明の概要】
【発明が解決しようとする課題】
【０００９】
上記の特許文献にはスライドレール及びブラケット（又はフレーム）が開示されているものの、スライドレールの耐荷重について市場の要望が高まっており、スライドレールとブラケットとの間の構造強度をどのように向上させるかが課題となっている。
【００１０】
本発明はブラケットを有するスライドレール機構を提供する。
【課題を解決するための手段】
【００１１】
本発明の一実施形態によれば、スライドレール機構はレール部材、第１のブラケット及び補強部材を含む。第１のブラケットはレール部材に対して可動である。補強部材はレール部材と第１のブラケットとの間に接続される。第１のブラケット、レール部材及び補強部材は、第１のブラケットが任意の位置に動かされた場合に互いを支持することができる。
【００１２】
様々な図面に図示する下記の好ましい実施形態の詳細な説明を読み終えた後、本発明の上記の目的及び他の目的が当業者に間違いなく明らかになる。
【図面の簡単な説明】
【００１３】
【図１】図１は、本発明の第１の実施の形態に係るスライドレール機構を示す概略図である。
【図２】図２は、本発明の第１の実施形態に係るスライドレール機構を示す分解図である。
【図３】図３は、本発明の第１の実施形態に係る、第１の間隙でラックに取り付けられたスライドレール機構を示す図である。
【図４】図４は、本発明の第１の実施形態に係る、第２の間隙でラックに取り付けられたスライドレール機構を示す図である。
【図５】図５は、本発明の第１の実施形態に係る、スライドレール機構のレール部材、補強部材及び第１のブラケットを示す断面図である。
【図６】図６は、本発明の第２の実施形態に係る、スライドレール機構のレール部材、補強部材及び第１のブラケットを示す断面図である。
【図７】図７は、本発明の第３の実施形態に係る、スライドレール機構のレール部材、補強部材及び第１のブラケットを示す断面図である。
【図８】図８は、本発明の第４の実施形態に係る、スライドレール機構のレール部材、補強部材及び第1のブラケットを示す断面図である。
【図９】図９は、本発明の第５の実施形態に係る、スライドレール機構のレール部材、補強部材及び第１のブラケットを示す断面図である。
【図１０】図１０は、本発明の第６の実施形態に係る、スライドレール機構のレール部材、補強部材及び第１のブラケットを示す断面図である。
【発明を実施するための形態】
【００１４】
図１及び図２に示すように、本発明の第１の実施形態に係るスライドレール機構は、レール部材２２、第１のブラケット２４及び補強部材２６を含む。スライドレール機構は第２のブラケット２８をさらに含むことが好ましい。
【００１５】
レール部材２２は第１のレール部３０ａ、第２のレール部３０ｂ及び第１のレール部３０ａと第２のレール部３０ｂとの間に接続された長手体３２を含む。好ましくは、第１のレール部３０ａ及び第２のレール部３０ｂは長手体３２から横方向に延びていることが好ましい。
【００１６】
第１のブラケット２４はレール部材２２及び補強部材２６のうちの一方に可動に配置されている。例えば、第１のブラケット２４はレール部材２２に可動に配置される。あるいは、第１のブラケット２４は補強部材２６に可動に配置されるか又は第１のブラケット２４はレール部材２２及び補強部材２６に可動に配置される。本発明はこれらの構成に限定されない。
【００１７】
さらに、第１のブラケット２４は可動であり、レール部材２２に対する第１のブラケット２４の位置を調節できる。第１のブラケット２４は、レール部材２２の第１の端部Ｅ１に隣接して配置される。第１のブラケット２４は第１の支持部３４ａ、第２の支持部３４ｂ、第１の支持部３４ａと第２の支持部３４ｂとの間に接続される長手支持部３６を含む。第１のブラケット２４は少なくとも１つの第１の取り付け部３８を含むことが好ましい。例えば、第１のブラケット２４は長手支持部３６に対して屈曲された端壁４０を含む。端壁４０は長手支持部３６に対して実質的に垂直方向に曲げられていることが好ましいが、本発明はそのような構成に限定されない。少なくとも１つの第１の取り付け部３８は端壁４０に配置される。なお、図２の本発明の実施形態によれば、２つの第１の取り付け部３８が存在するが、本発明はこのような構成に限定されない。例えば、第１のブラケット２４が含む第１の取り付け部３８は１つだけでもよい。第１の取り付け部３８の数は特定の要件に依拠する。
【００１８】
補強部材２６は、レール部材２２と第１のブラケット２４との間に配置される。さらに、補強部材２６はレール部材２２に接続され、レール部材２２の一部とみなすことができる。補強部材２６はレール部材２２の長手体３２に固定配置されることが好ましい。
【００１９】
第２のブラケット２８は、レール部材２２及び補強部材２６のうちの一方に配置される。例えば、第２のブラケット２８はレール部材２２に配置することができる。あるいは、補強部材２６はレール部材２２の一部とみなすことができるので、補強部材２６の位置は、第２のブラケット２８が補強部材２６に配置されるように具体的に第２のブラケット２８に延ばすことができるが、本発明はこのような構成に限定されない。
【００２０】
本実施形態では、第２のブラケット２８はレール部材２２の第２の端部Ｅ２に隣接して配置され、第１の端部Ｅ１から離れて配置されている。第２のブラケット２８は、レール部材２２の第２の端部Ｅ２に隣接して固定配置される。第２のブラケット２８は少なくとも１つの第２の取り付け部４２を含むことが好ましい。少なくとも１つの第２の取り付け部４２は、少なくとも１つの第１の取り付け部３８に対応して配置される。例えば、第２のブラケット２８は長手支持壁４４と、長手支持壁４４に対して屈曲されたエンドプレート４６とを含む。エンドプレート４６は長手支持壁４４に対して実質的に垂直方向に屈曲されていることが好ましいが、本発明はこのような構成に限定されない。少なくとも１つの第２の取り付け部４２はエンドプレート４６に配置されている。加えて、図２の本発明の実施形態によれば、２つの第２の取り付け部４２が存在するが、本発明はこのような構成に限定されない。例えば、第２のブラケット２８が含む第２の取り付け部４２は１つだけでもよい。第２の取り付け部４２の数は特定の要件に依拠する。
【００２１】
図３に示すように、第１のブラケット２４の少なくとも１つの第１の取り付け部３８は、レール部材２２をラックの第１のポスト４８ａに取り付けるように構成されている。第２のブラケット２８の少なくとも１つの第２の取り付け部４２は、レール部材２２をラックの第２のポスト４８ｂに取り付けるように構成されている。第１のブラケット２４は、第１のポスト４８ａと第２のポスト４８ｂとの間の第１の間隙Ｌ１に対応するために、第１のブラケット２４と第２のブラケット２８との間に第１の距離が形成されるようにレール部材２２に対して第１の位置Ｐ１に移動できる。
【００２２】
図４に示すように、第１のブラケット２４はレール部材２２及び補強部材２６の長さ方向（長手方向）に沿って移動可能である。例えば、第１のブラケット２４は、第１のポスト４８ａと第２のポスト４８ｂとの間の第２の間隙Ｌ２に対応するために、第１のブラケット２４と第２のブラケット２８との間に第２の距離が形成されるように、レール部材２２に対して第１の位置Ｐ１から第２の位置Ｐ２に移動できる。第２の距離は第１の距離よりも大きい。
【００２３】
図５に示すように、補強部材２６はレール部材２２と第１のブラケット２４との間に配置される。第１のブラケット２４は、レール部材２２及び補強部材２６を部分的に覆う。第１のブラケット２４がレール部材２２に対して任意の位置に動かされると（図３の第１の位置Ｐ１又は図４の第２の位置Ｐ２を参照されたい）、第１のブラケット２４、レール部材２２及び補強部材２６は互いを支持することができる。
【００２４】
第１のレール部３０ａ、第２のレール部３０ｂ及び長手体３２により通路５１が定義されることが好ましい。レール部材２２の長手体３２は第１の側Ｓ１と、第１の側Ｓ１の反対側の第２の側Ｓ２とを有する。第１の側Ｓ１は通路５１の外に位置し、第２の側Ｓ２は通路５１内に位置する。補強部材２６は、レール部材２２の構造強度を改善するために第１の側Ｓ１に接続されている。他方、スライドレール機構は、レール部材２２の通路５１に可動に取り付けられた少なくとも１つの移動レール５０をさらに含む。
【００２５】
補強部材２６は、第１の壁部５２ａ、第２の壁部５２ｂ及び第１の壁部５２ａと第２の壁部５２ｂとの間に接続される長手壁５４を含むことが好ましい。なお、図５の本発明の実施形態によれば、第１の壁部５２ａ及び第２の壁部５２ｂは長手壁５４の両側にそれぞれ接続されている。別の実施形態では、補強部材２６は第１の壁部５２ａ及び第２の壁部５２ｂのうちの１つのみを含むことができる。第１の壁部５２ａ及び第２の壁部５２ｂの選択は特定の要件に依拠する。以下では、本発明の実施形態に係る補強部材２６が第１の壁部５２ａ及び第２の壁部５２ｂを含む場合を一例として説明する。
【００２６】
第１のブラケット２４の長手支持部３６は第１の伸長部３６ａをさらに含むことが好ましい。第１の伸長部３６ａと、補強部材２６の第１の壁部５２ａ及び第２の壁部５２ｂのうちの一方とはお互いを支持することができる。以下では、第１の伸長部３６ａと補強部材２６の第１の壁部５２ａとが互いを支持することができる場合を一例として説明する。
【００２７】
第１のブラケット２４の長手支持部３６は第２の伸長部３６ｂをさらに含むことが好ましい。第２の伸長部３６ｂと、補強部材２６の第1の壁部５２ａ及び第２の壁部５２ｂのうちの一方とは互いを支持することができる。以下では、第２の伸長部３６ｂと補強部材２６の第２の壁部５２ｂとが互いを支持することができる場合を一例として説明する。
【００２８】
補強部材２６の第１の壁部５２ａは第１の壁区画Ｘ１と、第１の壁区画Ｘ１に対して屈曲された第２の壁区画Ｘ２とを含むことが好ましい。第１の壁区画Ｘ１及び第２の壁区画Ｘ２により空間５６が定義される。他方、第１のブラケット２４の第１の伸長部３６ａは第１の伸長区画Ｔ１と、第１の伸長区画Ｔ１に対して屈曲された第２の伸長区画Ｔ２とを含む。第２の伸長区画Ｔ２は、補強部材２６の第１の壁部５２ａの空間５６内に延びている。第１のブラケット２４の長手支持部３６及び補強部材２６の第１の壁部５２ａは互いを支持することができる。第１のブラケット２４の長手支持部３６及び補強部材２６の第１の壁部５２ａは、第２の伸長区画Ｔ２を介して互いを支持することができる。
【００２９】
補強部材２６の第２の壁部５２ｂは第３の壁区画Ｘ３と、第３の壁区画Ｘ３に対して屈曲された第４の壁区画Ｘ４とを含む。第３の壁区画Ｘ３及び第４の壁区画Ｘ４により空間５８が定義される。他方、第１のブラケット２４の第２の伸長部３６ｂは第３の伸長区画Ｔ３と、第３の伸長区画Ｔ３に対して屈曲された第４の伸長区画Ｔ４とを含む。第４の伸長区画Ｔ４は、補強部材２６の第２の壁部５２ｂの空間５８内に延びている。第１のブラケット２４の長手支持部３６と補強部材２６の第２の壁部５２ｂは互いを支持することができる。第１のブラケット２４の長手支持部３６及び補強部材２６の第２の壁部５２ｂは、第４の伸長区画Ｔ４を介して互いを支持することができることが好ましい。加えて、本実施の形態において、長手支持部３６の第１の伸長部３６ａの第１の伸長区画Ｔ１と、長手支持部３６の第２の伸長部３６ｂの第３の伸長区画Ｔ３と、補強部材２６の第１の壁部５２ａの第１の壁区画Ｘ１と、補強部材２６の第２の壁部５２ｂの第３の壁区画Ｘ３とは、お互いに対してレール部材２２の幅方向に沿って配置されている。長手支持部３６の第１の伸長部３６ａの第２の伸長区画Ｔ２と、長手支持部３６の第２の伸長部３６ｂの第４の伸長区画Ｔ４と、補強部材２６の第１の壁部５２ａの第２の壁区画Ｘ２と、補強部材２６の第２の壁部５２ｂの第４の壁区画Ｘ４とは、お互いに対してレール部材２２の高さ方向に沿って配置されている。
【００３０】
第１のブラケット２４の第１の支持部３４ａは、第１の支持区画Ｋ１、第２の支持区画Ｋ２及び第１の支持区画Ｋ１と第２の支持区画Ｋ２との間に接続される第１の中間区画Ｍ１を有することが好ましい。第１の中間区画Ｍ１により第１の支持区画Ｋ１と第２の支持区画Ｋ２との間に段差が形成される。即ち、第１の中間区画Ｍ１は、第１の支持区画Ｋ１及び第２の支持区画Ｋ２に対して実質的に垂直である。第１のブラケット２４の第１の支持区画Ｋ１及びレール部材２２の第１のレール部３０ａは互いを支持することができる。第１のブラケット２４の第２の支持区画Ｋ２及び補強部材２６の第１の壁部５２ａは互いに支持することができる。なお、図５の本発明の実施形態によれば、第１の支持部３４ａは第１の支持部Ｋ１及び第１の中間区画Ｍ１を含む。別の実施形態では、第１のブラケット２４の第１の支持部３４ａは第２の支持区画Ｋ２のみを含むことができる。第１の支持区画Ｋ１、第２の支持区画Ｋ２及び第１の中間区画Ｍ１の配置は、特定の要件に依拠する。以下では、第１のブラケット２４の第１の支持部３４ａは、第１の支持区画Ｋ１、第２の支持区画Ｋ２及び第１の中間区画Ｍ１を含む場合を一例として説明する。他方、第１のブラケット２４の第２の支持部３４ｂは、第３の支持区画Ｋ３、第４の支持区画Ｋ４及び第３の支持区画Ｋ３と第４の支持区画Ｋ４との間に接続される第２の中間区画Ｍ２とを含む。第２の中間区画Ｍ２により、第３の支持区画Ｋ３と第４の支持区画Ｋ４との間に段差が形成される。第１のブラケット２４の第３の支持区画Ｋ３とレール部材２２の第２のレール部３０ｂとは互いを支持することができる。第１のブラケット２４の第４の支持区画Ｋ４と補強部材２６の第２の壁部５２ｂとは互いを支持することができる。
【００３１】
本発明の第１の実施形態のスライドレール機構によれば、第１のブラケット２４が動かされて任意の位置に調節されると、第１のブラケット２４、レール部材２２及び補強部材２６は互いを支持することができる。第１のブラケット２４の第１の支持部３４ａとレール部材２２の第１のレール部３０ａは互いを支持することができる。第１のブラケット２４の第２の支持部３４ｂとレール部材２２の第２のレール部３０ｂとは互いを支持することができる。スライドレール機構の構造強度を向上させるために、補強部材２６、第１のブラケット２４の長手支持部３６及びレール部材２２の長手体３２は互いを支持することができる。
【００３２】
図６に示すように、図６は、本発明の第２の実施形態に係るスライドレール機構のレール部材２２、補強部材２６及び第１のブラケット２００を示す断面図である。第２の実施形態のスライドレール機構と第１の実施形態のスライドレール機構との違いは、第１のブラケット２００の第１の支持部３４ａが第１の屈曲区画２０２をさらに含み、第１の屈曲区画２０２とレール部材２２の第１のレール部３０ａの側部とが互いを支持することができる点である。第１のブラケット２００の第２の支持部３４ｂは第２の屈曲区画２０４をさらに含むことが好ましい。第２の屈曲区画２０４とレール部材２２の第２のレール部３０ｂの側部とは互いを支持することができる。
【００３３】
上記の構成によれば、本発明の第１の実施の形態と比べて、第２の実施の形態の第１のブラケット２００とレール部材２２の第１のレール部３０ａの側部とは第１の屈曲区画２０２を介して互いを支持でき、第１のブラケット２００とレール部材２２の第２のレール部３０ｂの側部とは、第２の屈曲区画２０４を介して互いを支持することができる。そのため、レール部材、第1のブラケット２００及び補強部材２６の支持信頼性が向上し、スライドレール機構の構造強度も向上する。
【００３４】
図７に示すように、図７は、本発明の第３の実施形態に係るスライドレール機構のレール部材２２、補強部材２６及び第１のブラケット３００を示す断面図である。第３の実施形態のスライドレール機構と第２の実施形態のスライドレール機構との違いは、第１のブラケット３００の長手支持部３０１が第１の伸長部３６ａ及び第２の伸長部３６ｂを含まない点である。
【００３５】
第３の実施形態のスライドレール機構と第２の実施形態のスライドレール機構との間の同じ部分は、第１の壁区画Ｘ１と第１の壁区画Ｘ１に対して屈曲された第２の壁区画Ｘ２とを含む補強部材２６の第１の壁部５２ａ及び第３の壁区画Ｘ３と第３の壁区画Ｘ３に対して屈曲された第４の壁区画Ｘ４とを含む補強部材２６の第２の壁部５２ｂである。
【００３６】
第１のブラケット３００の第１の支持部３４ａは、第１の支持区画Ｋ１、第２の支持区画Ｋ２及び第１の支持区画Ｋ１及び第２の支持区画Ｋ２の間に接続される第１の中間区画Ｍ１を含む。第１のブラケット３００の第１の支持区画Ｋ１とレール部材２２の第１のレール部３０ａとは互いを支持でき、第１のブラケット３００の第２の支持区画Ｋ２と補強部材２６の第１の壁部５２ａとは互いを支持することができる。他方、第１のブラケット３００の第２の支持部３４ｂは、第３の支持区画Ｋ３、第４の支持区画Ｋ４及び第３の支持区画Ｋ３と第４の支持区画Ｋ４との間に接続される第２の中間区画Ｍ２を含む。第１のブラケット３００の第３の支持区画Ｋ３とレール部材２２の第２のレール部３０ｂとは互いを支持でき、第１のブラケット３００の第４の支持区画Ｋ４と補強部材２６の第２の壁部５２ｂとは互いを支持することができる。第１のブラケット３００の長手支持部３０１と補強部材２６の第１の壁部５２ａの第２の壁区画Ｘ２とは互いを支持でき、第１のブラケット３００の長手支持部３０１と、補強部材２６の第２の壁部５２ｂの第４の壁区画Ｘ４とは互いに支持することができる。
【００３７】
第１のブラケット３００の第１の支持部３４ａの第１の屈曲部３０２と、レール部材２２の第１のレール部３０ａの側部とは互いを支持することができる。第１のブラケット３００の第２の支持部３４ｂの第２の屈曲区画３０４とレール部材２２の第２のレール部３０ｂの側部とは互いを支持することができることが好ましい。
【００３８】
上記構成によれば、本発明の第３の実施形態の補強部材２６、第１のブラケット３００及びレール部材２２は互いを支持することができるため、スライドレール機構の構造強度も向上する。
【００３９】
図８に示すように、図８は、本発明の第４の実施形態に係るスライドレール機構のレール部材２２、補強部材２６及び第１のブラケット４００を示す断面図である。第４の実施形態のスライドレール機構と第３の実施形態のスライドレール機構との違いは、第１のブラケット４００の第１の支持部４０２が第１の中間区画Ｍ１を含まず、第１のブラケット４００の第２の支持部４０４は第２の中間区画Ｍ２を含まない点である。
【００４０】
さらに、第１のブラケット４００は、第１の支持部４０２及び第２の支持部４０４を介して実質的に水平に配置され、第１のブラケット４００と、レール部材２２の第１のレール部３０ａ及び第２のレール部３０ｂとは、それぞれ互いを支持することができる。加えて、第１のブラケット４００の第１の支持部４０２の第１の屈曲部４０６とレール部材２２の第１のレール部３０ａの側部とは互いを支持することができる。第１のブラケット４００の第２の支持部４０４の第２の屈曲部４０８と、レール部材２２の第２のレール部３０ｂの側部とは互いを支持することができる。
【００４１】
上記の構成によれば、本発明の第４の実施形態の補強部材２６、第１のブラケット４００及びレール部材２２は互いを支持することができるため、スライドレール機構の構造強度も向上する。
【００４２】
図９に示すように、図９は、本発明の第５の実施形態に係るスライドレール機構のレール部材２２、補強部材５００及び第１のブラケット５０２を示す断面図である。第５の実施形態のスライドレール機構と第１〜第４の実施形態のスライドレール機構との違いは、第１のブラケット５０２の第１の支持部５０４が第１の支持区画５０８と第２の支持区画５１０との間に接続された複数の第１の中間区画５０６を含み及び/又は第１のブラケット５０２の第２の支持部５１２が、第３の支持区画５１６と第４の支持区画５１８との間に接続された複数の第２の中間区画５１４を含む点である。
【００４３】
複数の第１の中間区画５０６は、互いに対して折り曲げられるように屈曲され、複数の第２の中間区画５１４も互いに対して折り曲げられるように屈曲されている。上述の構成によれば、互いに支持するレール部材２２、補強部材５００及び第１のブラケット５０２の構造強度が向上する。
【００４４】
さらに、補強部材５００の第１の壁部５２０ａは第１の壁区画Ｙ１と、第１の壁区画Ｙ１に対して屈曲された第２の壁区画Ｙ２とを含む。第１の壁部Ｙ１及び第２の壁区画Ｙ２により空間５２２が定義される。補強部材５００の第２の壁部５２０ｂは、第３の壁区画Ｙ３と、第３の壁区画Ｙ３に対して屈曲された第４の壁区画Ｙ４とを含む。第３の壁区画Ｙ３及び第４の壁区画Ｙ４により空間５２４が定義される。
【００４５】
第１のブラケット５０２の複数の第１の中間区画５０６は、第１の支持区画５０８と第２の支持区画５１０との間に接続されている。第１のブラケット５０２の第１の支持区画５０８とレール部材２２の第１のレール部３０ａは互いを支持することができる。第１のブラケット５０２の長手支持部５０３及び補強部材５００の第１の壁部５２０ａは互いを支持することができる。第１のブラケット５０２の第２の支持区画５１０及び補強部材５００の第１の壁部５２０ａは互いを支持することができることが好ましく、複数の第１の中間区画５０６は、補強部材５００及びレール部材２２の構造強度をさらに向上するために、補強部材５００の第１の壁部５２０ａの空間５２２内に延びている。
【００４６】
第１のブラケット５０２の複数の第２の中間区画５１４は、第３の支持区画５１６と第４の支持区画５１８との間に接続されている。第１のブラケット５０２の第３の支持区画５１６と、レール部材２２の第２のレール部３０ｂとは互いを支持することができる。第１のブラケット５０２の長手支持部５０３と補強部材５００の第２の壁部５２０ｂとは互いを支持することができる。第１のブラケット５０２の第４の支持区画５１８及び補強部材５００の第２の壁部５２０ｂは互いに支持することができ、複数の第２の中間区画５１４は、補強部材５００及びレール部材２２の構造強度をさらに向上するために、補強部材５００の第２の壁部５２０ｂの空間５２４内に延びている。
【００４７】
上記の構成によれば、本発明の第５の実施形態の補強部材５００、第１のブラケット５０２及びレール部材２２は互いを支持することができるため、スライドレール機構の構造強度も向上する。
【００４８】
図１０に示すように、図１０は、本発明の第６の実施形態に係るスライドレール機構のレール部材２２、補強部材５００及び第１のブラケット６００を示す断面図である。第６の実施形態のスライドレール機構と第５実施形態のスライドレール機構との違いは、第１のブラケット６００の第１の支持部６０２が第１の屈曲区画６０４を含み、第１の屈曲区画６０４とレール部材２２の第１のレール部３０ａの側部とが互いを支持することができる点である。第１のブラケット６００の第２の支持部６０６は第２の屈曲区画６０８を含み、第２の屈曲区画６０８とレール部材２２の第２のレール部３０ｂの側部とは互いを支持することができる。
【００４９】
上記の構成によれば、本発明の第５の実施形態と比べて、第６の実施形態の第１のブラケット６００とレール部材２２の第１のレール部３０ａの側部とは、第１の屈曲区画６０４を介して互いを支持することができ、第１のブラケット６００とレール部材２２の第２のレール部３０ｂの側部とは、第２の屈曲区画６０８を介して互いを支持することができる。そのため、レール部材２２、第１のブラケット６００及び補強部材５００の支持信頼性が向上し、スライドレール機構の構造強度も向上する。
【００５０】
従来技術と比べて、本発明の全ての実施形態に係るスライドレール機構は、以下の点で従来技術に勝る利点を有する（以下では第１の実施形態を例にとる）。
【００５１】
１）第１のブラケット２４が任意の位置（例えば、第１の位置Ｐ１又は第２の位置Ｐ２）に動かされると、第１のブラケット２４、レール部材２２及び補強部材２６は互いを支持することができる。
【００５２】
２）第１のブラケット２４が任意の位置に移動されると、第１のブラケット２４の第１の支持部３４ａとレール部材２２の第１のレール部３０ａとは互いを支持することができる。第１のブラケット２４の第２の支持部３４ｂとレール部材２２の第２のレール部３０ｂとは互いに支持することができ、補強部材２６、第１のブラケット２４の長手支持部３６及びレール部材２２の長手体３２は互いを支持することができる。上記の構成によれば、スライドレール機構の構造強度を向上させることができる。
【００５３】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００５４】
２２  レール部材
２４  第１のブラケット
２６  補強部材
２８  第２のブラケット
３２  長手体
３６  長手支持部
３８  第１の取り付け部
４０  端壁
４２  第２の取り付け部
４４  長手支持壁
４６  エンドプレート
５０  移動レール
５４  長手壁
５６  空間
５８  空間
【図１】
0006890167.tif 000002
【図２】
0006890167.tif 000003
【図３】
0006890167.tif 000004
【図４】
0006890167.tif 000005
【図５】
0006890167.tif 000006
【図６】
0006890167.tif 000007
【図７】
0006890167.tif 000008
【図８】
0006890167.tif 000009
【図９】
0006890167.tif 000010
【図１０】
0006890167.tif 000011